(57)【要約】【課題】予備品として製作した変圧器コイルを１相ごとに、コイル専用輸送タンクを必要としない変圧器コイルの輸送梱包システムを提供する。【解決手段】予備品として製作した３相分の変圧器コイル３の１相分が密閉可能に収納される吸湿防止用フィルムパック２ｂと、この吸湿防止用フィルムパック２ｂ内に投入される乾燥剤４と、吸湿防止用フィルムパック２ｂにそれぞれ収納した３相分の変圧器コイル３のすべてを収納可能とする１つのドライコンテナ１とを備える。【選択図】図１
2005153958.tif 000002
【特許請求の範囲】
【請求項１】
予備品として製作した変圧器コイルの輸送梱包方法において、
前記変圧器コイルを１相ごとに吸湿防止用フィルムパックに収納する工程と、
前記吸湿防止用フィルムパック内に乾燥剤を投入して密閉する工程と、
前記吸湿防止用フィルムパックにそれぞれ収納した３相分の前記変圧器コイルを１つのドライコンテナに収納する工程とからなることを特徴とする変圧器コイルの輸送梱包方法。
【請求項２】
予備品として製作した変圧器コイルの輸送梱包方法において、
前記変圧器コイルを１相ごとに吸湿防止用フィルムパックに収納する工程と、
前記吸湿防止用フィルムパック内に乾燥空気または窒素ガスを封入して密閉する工程と、
前記吸湿防止用フィルムパックにそれぞれ収納した３相分の前記変圧器コイルを１つのドライコンテナに収納する工程とからなることを特徴とする変圧器コイルの輸送梱包方法。
【請求項３】
予備品として製作した変圧器コイルの輸送梱包システムにおいて、
前記変圧器コイルの１相分が密閉可能に収納される吸湿防止用フィルムパックと、
前記吸湿防止用フィルムパック内に投入される乾燥剤と、
前記吸湿防止用フィルムパックにそれぞれ収納した３相分の前記変圧器コイルのすべてを収納可能とする１つのドライコンテナとを備えたことを特徴とする変圧器コイルの輸送梱包システム。
【請求項４】
予備品として製作した変圧器コイルの輸送梱包システムにおいて、
前記変圧器コイルの１相分が密閉可能に収納される吸湿防止用フィルムパックと、
前記吸湿防止用フィルムパック内に乾燥空気を封入する着脱自在の乾燥空気発生装置または窒素ガスを封入する着脱自在の窒素ガス発生装置と、
前記吸湿防止用フィルムパックにそれぞれ収納した３相分の前記変圧器コイルのすべてを収納可能とする１つのドライコンテナとを備えたことを特徴とする変圧器コイルの輸送梱包システム。
【発明の詳細な説明】
【技術分野】
【０００１】
本発明は、予備品として製作した変圧器コイルの輸送梱包方法及び輸送梱包システムに関するものである。
【背景技術】
【０００２】
近年、電力需要の増大によって電力用機器の大容量化、高電圧化が進み大形化する傾向の中で、山間部の変電所や発電所に輸送するには、重量及び寸法に対して、非常に厳しい条件を伴う場合が増加している。そのため、例えば大容量超高圧変圧器はその輸送条件から本体、付属品、鉄心、コイル等を別々に解体して輸送しなくてはならない。
【０００３】
このような変圧器は、現地での鉄心及びコイルの組立、リード線の接続作業、部品の取付けが必要となってくるのは当然であるが、現地での作業は変圧器タンク本体外部で行なうことが多いため、作業環境が悪く、信頼性確保の面から問題が生じている。
【０００４】
特に高電圧部の引き出し部の接続作業は、リード線、絶縁バリヤ、ブッシング等で複雑に構成されており、外部からの塵埃や湿気の侵入をいかに防止するかが、品質管理の重要なポイントとなる。
【０００５】
そのため、従来は、変圧器コイルの防塵防湿方法として、特許文献１に示されるように、コイルの上下面及び外周面をポリエチレンフィルムからなる防湿シートにて覆い、コイルの内周面には耐油性のあるポリテトラフルオロチレンフィルムと、その端部にポリエチレンフィルムを施した複合シートからなる防湿シートにて覆い、各々の防湿シートを熱圧着接合している。また口出し部には、口出し線を覆うようにポリエチレン製の防湿キャップを装着し、コイル外周面の防湿シートに熱圧着接合して固定し、密封構造を形成している。 
【０００６】
一方、海外向けに対しては、変圧器コイルを予備品として製作することがあり、このコイルは上記のように分解輸送して現地で組み立てられるものではないので、変圧器コイルの輸送梱包に際しては、このような分解輸送に対応させることなく１相ごとに、コイル専用輸送タンクにそれぞれ収納されている。
【０００７】
図３は、予備品として製作した従来の変圧器コイルの輸送梱包システムの概略構成図であり、図示するように、従来の輸送梱包システムはコイル専用輸送タンク１２と乾燥空気発生装置または窒素ガス発生装置５とからなり、コイル専用輸送タンク１２はコイル載置台１２ａとタンク本体１２ｂとからなる。
【０００８】
コイル載置台１２ａは、例えば正方形の平板状に形成されており、その中央部に、円筒状に形成されたコイル型くずれ防止用の模擬鉄心１２a1が直立して設けられている。変圧器コイル３は、その窓部が模擬鉄心１２a1に挿入され、コイル載置台１２ａ上に載置されている。タンク本体１２ｂは直方体状に形成され、その１つの面に形成された開口部の周縁にはフランジ部が形成されており、このフランジ部とコイル載置台１２ａの板状の周縁部とが適宜の締め付け手段により、コイル載置台１２ａにタンク本体１２ｂが取り付けられ、コイル専用輸送タンク１２内が密閉状態となり、変圧器コイル３が外気と遮断される。コイル専用輸送タンク１２内には、乾燥空気または窒素ガスが封入されている。
【０００９】
タンク本体１２ｂには、乾燥空気または窒素ガスを封入するためのバルブ１２b1が設けられている。コイル載置台１２ａの下面には、輸送タンク１２を適宜の輸送手段まで、例えばフォークリフト等で持ち上げて運搬するために、例えばＬ字状チャンネル１２a2が２つ取り付けられている。なお、コイル専用輸送タンク１２は１相ごとに準備される。
【００１０】
上記のような従来のコイルの輸送梱包システムにおいては、まず変圧器コイル３をコイル載置台１２ｂに取り付ける。つぎに、タンク本体１２ｂをクレーン等で吊り上げ、その開口部を下に向けてコイル載置台１２ａに取り付ける。その後、バルブ１２b1と乾燥空気発生装置または窒素ガス封入装置５とをホース等で繋いで、乾燥空気発生装置を操作することにより、乾燥空気がバルブ１２b1を介してコイル専用輸送タンク１２内に封入される。または、変圧器コイル３の吸湿を防止するために、窒素ガス封入装置を操作することにより、窒素ガスがバルブ１２b1を介してコイル専用輸送タンク１２内に封入され、コイル専用輸送タンク１２が完成する。乾燥空気発生装置及び窒素ガス発生装置５はそれぞれの封入が終われば、バルブ１２b1からホースと共に撤去される。なお、乾燥空気または窒素ガスの代わりに、コイル専用輸送タンク１２内に大量の乾燥剤が投入されることがある。また、変圧器コイル３は当然予め乾燥処理されている。
【特許文献１】特開平９−５０９１５号公報（第３−４頁、図１）
【発明の開示】
【発明が解決しようとする課題】
【００１１】
このような輸送梱包システムでは、１相ごとにコイル専用輸送タンクを必要とするために、タンクの密閉作業が煩雑になるという問題がある。また、タンクの製作費及び材料費がアップするという問題がある。さらに、タンク輸送に伴う物流費がアップするという問題がある。
【００１２】
本発明の目的は、予備品として製作した変圧器コイルを１相ごとに、コイル専用輸送タンクを必要としない変圧器コイルの輸送梱包方法を提供することにある。
【００１３】
本発明の他の目的は、予備品として製作した変圧器コイルを１相ごとに、コイル専用輸送タンクを必要としない変圧器コイルの輸送梱包システムを提供することにある。
【課題を解決するための手段】
【００１４】
第１の発明は、予備品として製作した変圧器コイルの輸送梱包方法を対象とし、変圧器コイルを１相ごとに吸湿防止用フィルムパックに収納する工程と、吸湿防止用フィルムパック内に乾燥剤を投入して密閉する工程と、吸湿防止用フィルムパックにそれぞれ収納した３相分の変圧器コイルを１つのドライコンテナに収納する工程とからなるようにしたものである。
【００１５】
第１の発明においては、変圧器コイルを密閉状態で収納する構成が簡素化され、また、従来のようなコイル専用輸送タンクを製作する必要がなくなる。
【００１６】
第２の発明は、予備品として製作した変圧器コイルの輸送梱包方法を対象とし、変圧器コイルを１相ごとに吸湿防止用フィルムパックに収納する工程と、吸湿防止用フィルムパック内に乾燥空気または窒素ガスを封入して密閉する工程と、吸湿防止用フィルムパックにそれぞれ収納した３相分の変圧器コイルを１つのドライコンテナに収納する工程とからなるようにしたものである。
【００１７】
第２の発明においては、変圧器コイルを密閉状態で収納する構成と乾燥空気または窒素ガスを封入する構成とが簡素化され、また、従来のようなコイル専用輸送タンクを製作する必要がなくなる。
【００１８】
第３の発明は、予備品として製作した変圧器コイルの輸送梱包システムを対象とし、変圧器コイルの１相分が密閉可能に収納される吸湿防止用フィルムパックと、吸湿防止用フィルムパック内に投入される乾燥剤と、吸湿防止用フィルムパックにそれぞれ収納した３相分の変圧器コイルのすべてを収納可能とする１つのドライコンテナとを備えるようにしたものである。
【００１９】
第３の発明においては、変圧器コイルを密閉状態で収納する構成が簡素化され、また、従来のようなコイル専用輸送タンクを製作する必要がなくなる。
【００２０】
第４の発明は、予備品として製作した変圧器コイルの輸送梱包システムを対象とし、変圧器コイルの１相分が密閉可能に収納される吸湿防止用フィルムパックと、吸湿防止用フィルムパック内に乾燥空気を封入する着脱自在の乾燥空気発生装置または窒素ガスを封入する着脱自在の窒素ガス発生装置と、吸湿防止用フィルムパックにそれぞれ収納した３相分の変圧器コイルのすべてを収納可能とする１つのドライコンテナとを備えるようにしたものである。
【００２１】
第４の発明においては、変圧器コイルを密閉状態で収納する構成と乾燥空気または窒素ガスを封入する構成とが簡素化され、また、従来のようなコイル専用輸送タンクを製作する必要がなくなる。
【発明の効果】
【００２２】
以上のように、第１の発明によれば、変圧器コイルを密閉状態で収納する構成が簡素化され、また、従来のようなコイル専用輸送タンクを製作する必要がなくなるので、変圧器コイルを密閉状態で収納する構成のコストが低減され、また、変圧器コイルを外気と遮断する密閉作業が簡素化された輸送梱包方法とすることができる。また、輸送手段が貨物船からコンテナ船に変更可能となるので、物流費を低減させた輸送梱包方法とすることができる。
【００２３】
第２の発明によれば、変圧器コイルを密閉状態で収納する構成と乾燥空気または窒素ガスを封入する構成とが簡素化され、また、従来のようなコイル専用輸送タンクを製作する必要がなくなるので、変圧器コイルを密閉状態で収納する構成のコストがさらに低減され、また、変圧器コイルを外気と遮断する密閉作業が簡素化された輸送梱包方法とすることができる。また、輸送手段が貨物船からコンテナ船に変更可能となるので、物流費を低減させた輸送梱包方法とすることができる。
【００２４】
第３の発明によれば、変圧器コイルを密閉状態で収納する構成が簡素化され、また、従来のようなコイル専用輸送タンクを製作する必要がなくなるので、変圧器コイルを密閉状態で収納する構成のコストが低減され、また、変圧器コイルを外気と遮断する密閉作業が簡素化された輸送梱包システムとすることができる。また、輸送手段が貨物船からコンテナ船に変更可能となるので、物流費を低減させた輸送梱包システムとすることができる。
【００２５】
第４の発明によれば、変圧器コイルを密閉状態で収納する構成と乾燥空気または窒素ガスを封入する構成とが簡素化され、また、従来のようなコイル専用輸送タンクを製作する必要がなくなるので、変圧器コイルを密閉状態で収納する構成のコストがさらに低減され、また、変圧器コイルを外気と遮断する密閉作業が簡素化された輸送梱包システムとすることができる。また、輸送手段が貨物船からコンテナ船に変更可能となるので、物流費を低減させた輸送梱包システムとすることができる。
【発明を実施するための最良の形態】
【００２６】
図１は、本発明に係る変圧器コイルの輸送梱包システムの第１の実施形態を示す概略構成図であり、図示するように、本実施形態の輸送梱包システムは１つのドライコンテナ１と３つのコイル収納パック２とからなり、コイル収納パック２はコイル載置台２ａと吸湿防止用フィルムパック２ｂとからなる。
【００２７】
コイル載置台２ａは、例えば円形の平板状に形成されており、その中央部に、円筒状に形成されたコイル型くずれ防止用の模擬鉄心２a1が直立して設けられている。変圧器コイル３は、その窓部が模擬鉄心２a1に挿入され、コイル載置台２ａ上に載置されている。吸湿防止用フィルムパック２ｂは、袋状に形成されており、変圧器コイル３を覆うように取り付けられ、その開口部の周縁がコイル載置台２ａの板状の周縁部に図示しない接着剤または接着テープ等で貼付されることにより、吸湿防止用フィルムパック２ｂ内が密閉状態となり、変圧器コイル３が外気と遮断される。この実施形態では、吸湿防止用フィルムパック２ｂ内に乾燥剤４が入っている。
【００２８】
コイル収納パック２は１相ごとに準備され、３相分のコイル収納パック２が１つのドライコンテナ１に収納されている。ドライコンテナ１は、直方体状に形成され、その長手方向の１つの側面に観音開式扉１ａ，１ａが設けられており、３相分の変圧器コイル３のすべてが収納可能である。コイル載置台２ａの下面には、コイル収納パック２をドライコンテナ１まで、例えばフォークリフト等で持ち上げて運搬するために、例えばＬ字状チャンネル２a2が２つ取り付けられている。
【００２９】
このような変圧器コイルの輸送梱包システムにおいては、まず変圧器コイル３をコイル載置台２ａに取り付ける。つぎに、吸湿防止用フィルムパック２ｂの開口部を下に向けてコイル載置台２ａに取り付ける。この際、吸湿防止用フィルムパック２ｂ内に大量の乾燥剤４を投入し、１相分のコイル収納パック２を完成させる。その後、３相分のコイル収納パック２をドライコンテナ１に収納する。なお、変圧器コイル２は当然、予め乾燥処理されている。
【００３０】
図２は、本発明に係る変圧器コイルの輸送梱包システムの第２の実施形態を示す概略構成図であり、図示するように、本実施形態の輸送梱包システムは１つのドライコンテナ１と３つのコイル収納パック２と乾燥空気発生装置または窒素ガス発生装置５とからなり、コイル収納パック２はコイル載置台２ａと吸湿防止用フィルムパック２ｂとからなる。
【００３１】
コイル載置台２ａは、例えば円形の平板状に形成されており、その中央部に、円筒状に形成されたコイル型くずれ防止用の模擬鉄心２a1が直立して設けられている。変圧器コイル３は、その窓部が模擬鉄心２a1に挿入され、コイル載置台２ａ上に載置されている。吸湿防止用フィルムパック２ｂは、袋状に形成されており、変圧器コイル３を覆うように取り付けられ、その開口部の周縁がコイル載置台２ａの板状の周縁部に図示しない接着剤または接着テープ等で貼付されることにより、吸湿防止用フィルムパック２ｂ内が密閉状態となり、変圧器コイル３が外気と遮断される。この実施形態では、吸湿防止用フィルムパック２ｂ内に乾燥空気または窒素ガスが封入されている。
【００３２】
コイル載置台２ａには、乾燥空気または窒素ガスを封入するためのバルブ２a2が設けられている。コイル収納パック２は１相ごとに準備され、３相分のコイル収納パック２が１つのドライコンテナ１に収納されている。ドライコンテナ１は、直方体状に形成され、その長手方向の１つの側面に観音開式扉１ａ，１ａが設けられており、３相分の変圧器コイル３のすべてが収納可能である。コイル載置台２ａの下面には、コイル収納パック２をドライコンテナ１まで、例えばフォークリフト等で持ち上げて運搬するために、例えばＬ字状チャンネル２a3が２つ取り付けられている。
【００３３】
このような変圧器コイルの輸送梱包システムにおいては、まず変圧器コイル３をコイル載置台２ａに取り付ける。つぎに、吸湿防止用フィルムパック２ｂの開口部を下に向けてコイル載置台２ａに取り付ける。その後、バルブ１２b1と乾燥空気発生装置または窒素ガス封入装置５とをホース等で繋いで、乾燥空気発生装置を操作することにより、乾燥空気がバルブ２a2を介してコイル収納パック２内に封入され、コイル収納パック２が完成する。または、変圧器コイル３の吸湿を防止するために、窒素ガス封入装置を操作することにより、窒素ガスがバルブ２a2を介してコイル収納パック２内に封入され、コイル収納パック２が完成する。乾燥空気発生装置及び窒素ガス発生装置５はそれぞれの封入が終われば、バルブ１２b1からホースと共に撤去される。なお、変圧器コイル３は当然、予め乾燥処理されている。
【図面の簡単な説明】
【００３４】
【図１】本発明に係る変圧器コイルの輸送梱包システムの第１の実施形態を示す概略構成図である。
【図２】本発明に係る変圧器コイルの輸送梱包システムの第２の実施形態を示す概略構成図である。
【図３】従来の変圧器コイルの輸送梱包システムの概略構成図である。
【符号の説明】
【００３５】
１  ドライコンテナ
２ｂ  吸湿防止用フィルムパック
３  変圧器コイル
４  乾燥剤
５  乾燥空気発生装置または窒素ガス発生装置
【図１】
2005153958.tif 000003
【図２】
2005153958.tif 000004
【図３】
2005153958.tif 000005
【手続補正書】
【提出日】平成16年2月26日(2004.2.26)
【手続補正１】
【補正対象書類名】明細書
【補正対象項目名】００１０
【補正方法】変更
【補正の内容】
【００１０】
上記のような従来のコイルの輸送梱包システムにおいては、まず変圧器コイル３をコイル載置台１２ｂに取り付ける。つぎに、タンク本体１２ｂをクレーン等で吊り上げ、その開口部を下に向けてコイル載置台１２ａに取り付ける。その後、バルブ１２b1と乾燥空気発生装置または窒素ガス封入装置５とをホース等で繋いで、乾燥空気発生装置を操作することにより、乾燥空気がバルブ１２b1を介してコイル専用輸送タンク１２内に封入される。または、変圧器コイル３の吸湿を防止するために、窒素ガス封入装置を操作することにより、窒素ガスがバルブ１２b1を介してコイル専用輸送タンク１２内に封入され、コイル専用輸送タンク１２が完成する。乾燥空気発生装置及び窒素ガス発生装置５はそれぞれの封入が終われば、バルブ１２b1からホースと共に撤去される。なお、乾燥空気または窒素ガスの代わりに、コイル専用輸送タンク１２内に大量の乾燥剤が投入されることがある。また、変圧器コイル３は当然予め乾燥処理されている。
【特許文献１】特開平９−５０９１９号公報（第３−４頁、図１）